(57)【特許請求の範囲】
【請求項１】
無線通信ネットワークにおいて干渉推定をサポートする方法において、
１又は複数のユーザ装置（ＵＥ）にサービスするために互いに協調するように設定された複数のセルからなるクラスター中のセルによりヌル・パイロットを送信するための資源を判定することと、
前記１又は複数のＵＥが前記クラスター中にないセルからの干渉を含むクラスター外干渉を推定できるようにするために、前記資源上で前記ヌル・パイロットを送信することを含む方法。
【請求項２】
前記クラスター中の各々のセルは、ヌル・パイロットを送信するために異なる資源を割り当てられる請求項１の方法。
【請求項３】
前記クラスター中のすべてのセルは、ヌル・パイロットを送信するために同一の資源を割り当てられ、
異なるクラスターは、ヌル・パイロットを送信するために異なる資源を割り当てられる請求項１の方法。
【請求項４】
前記ヌル・パイロットを送信するための前記資源を前記判定することは、前記セル又は前記クラスターの識別情報（ＩＤ）の関数に基づいて、前記ヌル・パイロットを送信するための前記資源を判定することを含む請求項１の方法。
【請求項５】
前記ヌル・パイロットを前記送信することは、前記資源にマッピングされるシンボルをパンクチャーすることによって、前記ヌル・パイロットを送信するための前記資源上でいかなる伝送も送信しないことを含む請求項１の方法。
【請求項６】
前記ヌル・パイロットを前記送信することは、前記資源にマッピングされるシンボルを判定し、該シンボルを他の資源に再マッピングすることによって、前記ヌル・パイロットを送信するための前記資源上でいかなる伝送も送信しないことを含む請求項１の方法。
【請求項７】
前記１又は複数のＵＥのうちの一つのＵＥにより観測されるクラスター外干渉を示す干渉情報を受信することと、
前記干渉情報に基づいて、データ伝送を前記ＵＥに送信することを更に含む請求項１の方法。
【請求項８】
前記ＵＥからの前記干渉情報に基づいて、前記ＵＥにおける受信信号品質を推定することと、
前記推定された受信信号品質に基づいて、レートを判定することを更に含み、
前記データ伝送は、前記判定されたレートで前記ＵＥに送信される請求項７の方法。
【請求項９】
前記１又は複数のＵＥのうちの一つのＵＥから前記セルに関するチャネル情報を受信することと、
前記チャネル情報に基づいて、プリコーディング行列を判定すること、
前記プリコーディング行列を使って前記データ伝送を前記ＵＥに送信することを更に含み、
前記クラスター中の各々の残りのセルは、前記ＵＥへの干渉を低減する請求項１の方法。
【請求項１０】
前記１又は複数のＵＥのうちの一つのＵＥにより観測されるクラスター外干渉を示す干渉情報を受信することと、
前記ＵＥから前記クラスター中の少なくとも一つのセルに関するチャネル情報を受信することと、
前記干渉情報及び前記チャネル情報に基づいて、データ伝送のために前記ＵＥをスケジュールするべきかどうか判定することを更に含む請求項１の方法。
【請求項１１】
無線通信のための装置において、
１又は複数のユーザ装置（ＵＥ）にサービスするために互いに協調するように設定された複数のセルからなるクラスター中のセルによりヌル・パイロットを送信するための資源を判定するための手段と、
前記１又は複数のＵＥが前記クラスター中にないセルからの干渉を含むクラスター外干渉を推定できるようにするために、前記資源上で前記ヌル・パイロットを送信するための手段とを含む装置。
【請求項１２】
前記クラスター中の各々のセルは、ヌル・パイロットを送信するために異なる資源を割り当てられる請求項１１の装置。
【請求項１３】
前記クラスター中のすべてのセルは、ヌル・パイロットを送信するために同一の資源を使用し、異なるクラスターは、ヌル・パイロットを送信するために異なる資源を割り当てられる請求項１１の装置。
【請求項１４】
前記１又は複数のＵＥのうちの一つのＵＥにより観測されるクラスター外干渉を示す干渉情報を受信するための手段と、
前記干渉情報に基づいて、データ伝送を前記ＵＥに送信するための手段とを更に含む請求項１１の装置。
【請求項１５】
前記１又は複数のＵＥのうちの一つのＵＥからの前記セルに関するチャネル情報を受信するための手段と、
前記チャネル情報に基づいて、プリコーディング行列を判定するための手段と、
前記プリコーディング行列を使って前記データ伝送を前記ＵＥに送信するための手段とを更に含み、
前記クラスター中の各々の残りのセルは、前記ＵＥへの干渉を低減する請求項１１の装置。
【請求項１６】
無線通信ネットワークにおける干渉を推定する方法において、
１又は複数のユーザ装置（ＵＥ）にサービスするために互いに協調するように設定された複数のセルからなるクラスター中の複数のセルからヌル・パイロットを受信することと、
前記複数のセルからの前記ヌル・パイロットに基づいて、前記１又は複数のユーザ装置（ＵＥ）のうちの一つのＵＥにより観測されるクラスター外干渉（該クラスター外干渉は該クラスター中にないセルからの干渉を含む）を推定することを含む方法。
【請求項１７】
前記クラスター中の前記複数のセルにより前記ヌル・パイロットを送信するために使用される資源を判定することを更に含み、
前記クラスター中の各々のセルは、ヌル・パイロットを送信するために異なる資源を割り当てられる請求項１６の方法。
【請求項１８】
前記クラスター中の前記複数のセルにより前記ヌル・パイロットを送信するために使用される資源を判定することを更に含み、
前記クラスター中のすべてのセルは、ヌル・パイロットを送信するために同一の資源を使用し、異なるクラスター中のセルは、ヌル・パイロットを送信するために異なる資源を使用する請求項１６の方法。
【請求項１９】
前記クラスター外干渉を前記推定することは、
前記クラスター中の各々のセルからのヌル・パイロットの受信電力を判定することと、
前記ＵＥにおけるトータル受信電力を判定することと、
前記クラスター中のすべてのセルからの前記ヌル・パイロットの受信電力及び前記ＵＥにおける前記トータル受信電力に基づいて、前記クラスター外干渉を推定することを含む請求項１７の方法。
【請求項２０】
前記クラスター外干渉を前記推定することは、前記クラスター中の前記複数のセルからの前記ヌル・パイロットの前記受信電力の最小値又は平均値に基づいて、前記クラスター外干渉を制限することを更に含む請求項１９の方法。
【請求項２１】
前記クラスター外干渉を前記推定することは、
前記クラスター中の各々のセルの受信電力を判定することと、
前記クラスター中の各々のセルからのヌル・パイロットの受信電力を判定することと、
前記クラスター中の各々のセルの前記受信電力及び前記クラスター中の各々のセルからの前記ヌル・パイロットの前記受信電力に基づいて、前記クラスター外干渉を推定することを含む請求項１７の方法。
【請求項２２】
前記クラスター外干渉を前記推定することは、
前記クラスター中のすべてのセルからの前記ヌル・パイロットの受信電力を判定することと、
前記クラスター中のすべてのセルからの前記ヌル・パイロットの前記受信電力に基づいて、前記クラスター外干渉を推定することを含む請求項１８の方法。
【請求項２３】
前記ＵＥにおけるトータル受信電力を判定することと、
前記クラスター中のセルからのヌル・パイロットの受信電力を判定することと、
前記ＵＥにおける前記トータル受信電力及び前記セルからの前記ヌル・パイロットの前記受信電力に基づいて、前記セルの受信電力を判定することを更に含む請求項１７の方法。
【請求項２４】
前記ＵＥは、複数の受信アンテナを備え、
前記クラスター外干渉を前記推定することは、前記クラスター外干渉の共分散行列を判定することを含む請求項１６の方法。
【請求項２５】
前記クラスター外干渉に基づいて、空間フィルタ行列を判定することと、
ポスト処理されたクラスター外干渉を得るために、前記空間フィルタ行列を前記クラスター外干渉に適用することを更に含む請求項１６の方法。
【請求項２６】
前記クラスター外干渉を示す干渉情報を判定することと、
前記干渉情報を、前記クラスター中の少なくとも一つの指定されたセルに送信することを更に含む請求項１６の方法。
【請求項２７】
前記干渉情報は、前記ＵＥにおけるクラスター外干渉電力、前記クラスター外干渉の共分散行列、前記ＵＥにおける受信機空間処理の前に受信されたクラスター外干渉、及び前記ＵＥにおける受信機空間処理の後にポスト処理されたクラスター外干渉のうちの少なくとも一つを含む請求項２６の方法。
【請求項２８】
前記クラスター中の少なくとも一つの潜在的なサービング・セルに関するチャネル情報を判定することと、
前記チャネル情報を、前記クラスター中の少なくとも一つの指定されたセルに送信することを更に含む請求項１６の方法。
【請求項２９】
各々の潜在的なサービング・セルに関する前記チャネル情報は、前記セルのためのチャネル行列又は前記ＵＥにおける受信機空間処理を伴う前記セルのための複合チャネル行列を含む請求項２８の方法。
【請求項３０】
前記クラスター中の少なくとも一つのセルからデータ伝送を受信することを更に含み、
前記クラスター中の各々の残りのセルは、前記ＵＥへの干渉を低減する請求項１６の方法。
【請求項３１】
無線通信のための装置において、
１又は複数のユーザ装置（ＵＥ）にサービスするために互いに協調するように設定された複数のセルからなるクラスター中の複数のセルからヌル・パイロットを受信するための手段と、
前記複数のセルからの前記ヌル・パイロットに基づいて、前記１又は複数のユーザ装置（ＵＥ）のうちの一つのＵＥにより観測されるクラスター外干渉（該クラスター外干渉は該クラスター中にないセルからの干渉を含む）を推定するための手段とを含む装置。
【請求項３２】
前記クラスター中の前記複数のセルにより前記ヌル・パイロットを送信するために使用される資源を判定するための手段を更に含み、
各々のセル又は複数のからなる各々のクラスターは、ヌル・パイロットを送信するために異なる資源を割り当てられる請求項３１の装置。
【請求項３３】
前記クラスター外干渉を推定するための前記手段は、
前記クラスター中の各々のセルからのヌル・パイロットの受信電力を判定することと、
前記クラスター中の各々のセルからの前記ヌル・パイロットの前記受信電力に基づいて、前記クラスター外干渉を推定することを含む請求項３１の装置。
【請求項３４】
前記クラスター外干渉を前記推定するための手段は、
前記クラスター中のすべてのセルからの前記ヌル・パイロットの受信電力を判定するための手段と、
前記クラスター中のすべてのセルからの前記ヌル・パイロットの前記受信電力に基づいて、前記クラスター外干渉を推定するための手段とを含む請求項３１の装置。
【請求項３５】
前記クラスター外干渉を示す干渉情報を判定するための手段と、
前記クラスター中の少なくとも一つの潜在的なサービング・セルに関するチャネル情報を判定するための手段と、
前記干渉情報及び前記チャネル情報を、前記クラスター中の少なくとも一つの指定されたセルに送信するための手段と、
前記干渉情報及び前記チャネル情報に基づいて、前記クラスター中の少なくとも一つのサービング・セルにより送信されるデータ伝送を受信するための手段とを含み、
前記クラスター中の各々の残りのセルは、前記ＵＥへの干渉を低減する請求項３１の装置。
【請求項３６】
無線通信のための装置において、
１又は複数のユーザ装置（ＵＥ）にサービスするために互いに協調するように設定された複数のセルからなるクラスター中の複数のセルからヌル・パイロットを受信し、そして、前記複数のセルからの前記ヌル・パイロットに基づいて、前記１又は複数のユーザ装置（ＵＥ）のうちの一つのＵＥにより観測されるクラスター外干渉（該クラスター外干渉は該クラスター中にないセルからの干渉を含む）を推定するように構成された少なくとも一つのプロセッサを含む装置。
【請求項３７】
前記少なくとも一つのプロセッサは、前記クラスター中の前記複数のセルにより前記ヌル・パイロットを送信するために使用される資源を判定するように構成され、
各々のセル又は複数のセルからなる各々のクラスターは、ヌル・パイロットを送信するために異なる資源を割り当てられる請求項３６の装置。
【請求項３８】
前記少なくとも一つのプロセッサは、前記クラスター中の各々のセルからのヌル・パイロットの受信電力を判定し、そして、前記クラスター中の各々のセルからの前記ヌル・パイロットの前記受信電力に基づいて、前記クラスター外干渉を推定するように構成された請求項３６の装置。
【請求項３９】
前記少なくとも一つのプロセッサは、前記クラスター中のすべてのセルからの前記ヌル・パイロットの受信電力を判定し、そして、前記クラスター中のすべてのセルからの前記ヌル・パイロットの前記受信電力に基づいて、前記クラスター外干渉を推定するように構成された請求項３６の装置。
【請求項４０】
前記少なくとも一つのプロセッサは、前記クラスター外干渉を示す干渉情報を判定し、前記クラスター中の少なくとも一つの潜在的なサービング・セルに関するチャネル情報を判定し、前記干渉情報及び前記チャネル情報を、前記クラスター中の少なくとも一つの指定されたセルに送信し、そして、前記干渉情報及び前記チャネル情報に基づいて、前記クラスター中の少なくとも一つのサービング・セルにより送信されるデータ伝送を受信するように構成され、
前記クラスター中の各々の残りのセルは、前記ＵＥへの干渉を低減する請求項３６の装置。
【請求項４１】
コンピュータープログラムを記憶するコンピュータ読み取り可能な記憶媒体において、前記コンピュータープログラムは、
少なくとも一つのコンピュータに、１又は複数のユーザ装置（ＵＥ）にサービスするために互いに協調するように設定された複数のセルからなるクラスター中の複数のセルからヌル・パイロットを受信させるためのコードと、
前記少なくとも一つのコンピュータに、前記複数のセルからの前記ヌル・パイロットに基づいて、前記１又は複数のＵＥのうちの一つのＵＥにより観測されるクラスター外干渉（該クラスター外干渉は該クラスター中にないセルからの干渉を含む）を推定させるためのコードとを含むコンピュータ読み取り可能な記憶媒体。
【請求項４２】
無線通信ネットワークにおいて干渉推定をサポートする方法において、
セルのためのヌル・パイロットのために確保されている資源を判定することと、
前記セルから干渉インジケータを受信することと、
前記セルが前記干渉インジケータを引き受けていないユーザ装置（ＵＥ）からの制御されていない干渉を推定できるようにするために、前記干渉インジケータを引き受けているＵＥにより前記確保されている資源の上でヌル・パイロットを送信することを含む、方法。
【請求項４３】
無線通信ネットワークにおいて干渉推定をサポートする方法において、
セルのためのヌル・パイロットのために確保されている資源を判定することと、
前記セルから干渉インジケータを受信することと、
前記セルが前記干渉インジケータを引き受けているユーザ装置（ＵＥ）からの制御された干渉を推定できるようにするために、前記干渉インジケータを引き受けていないＵＥにより前記確保されている資源の上で送信することを含む、方法。
【請求項４４】
無線通信ネットワークにおいて干渉推定をサポートする方法において、
セルのためのヌル・パイロットのために確保されている資源を判定することと、
前記セルが第２のユーザ装置（ＵＥ）からの干渉を推定できるようにするために、第１のＵＥにより前記確保されている資源上でヌル・パイロットを送信することを含み、
前記確保されている資源は、特定の電力クラスのセルのためのヌル・パイロットのためであり、
前記ヌル・パイロットは、前記セルが他の電力クラスのセルによりサービスされる前記第２のＵＥに起因する干渉を推定できるようにするために、前記特定の電力クラスの前記セルによりサービスされる前記第１のＵＥにより送信される方法。
【請求項４５】
無線通信ネットワークにおいて干渉を推定する方法において、
セルのためのヌル・パイロットのために確保されている資源を判定することと、
前記セルから干渉インジケータを送信することと、
前記セルにおける前記干渉インジケータを引き受けている第１のユーザ装置（ＵＥ）からヌル・パイロットを受信することと、
前記第１のＵＥからの前記ヌル・パイロットに基づいて、前記セルにより観測される、前記干渉インジケータを引き受けていない第２のＵＥからの制御されていない干渉を推定することを含む、方法。
【請求項４６】
無線通信ネットワークにおいて干渉を推定する方法において、
セルのためのヌル・パイロットのために確保されている資源を判定することと、
前記セルから干渉インジケータを送信することと、
前記セルにおける前記干渉インジケータを引き受けていない第１のユーザ装置（ＵＥ）からヌル・パイロットを受信することと、
前記第１のＵＥからの前記ヌル・パイロットに基づいて、前記セルにより観測される、前記干渉インジケータを引き受けている第２のＵＥからの制御された干渉を推定することを含む、方法。
【請求項４７】
無線通信ネットワークにおいて干渉を推定する方法において、
セルのためのヌル・パイロットのために確保されている資源を判定することと、
第１のユーザ装置（ＵＥ）から前記確保されている資源の上でヌル・パイロットを受信することと、
前記第１のＵＥから受信された前記ヌル・パイロットに基づいて、前記セルにより観測される第２のＵＥからの干渉を推定することを含み、
前記確保されている資源は、特定の電力クラスのセルのためのヌル・パイロットのためであり、
前記ヌル・パイロットは、前記セルが他の電力クラスのセルによりサービスされる前記第２のＵＥに起因する干渉を推定できるようにするために、前記特定の電力クラスの前記セルによりサービスされる前記第１のＵＥにより送信される、方法。
【発明の詳細な説明】
【技術分野】
【０００１】
（関連出願の相互参照）
本出願は、２００８年４月２２日付け提出され「INTERACTIONS OF RESOURCE UTILIZATION MESSAGES (RUM) AND OTHER SECTOR INTERFERENCE (OSI) INDICATIONS」と題された米国仮出願第６１／０４７，０６３号及び２００８年１０月２４日付け提出され「OUT-OF-CLUSTER INTERFERENCE ESTIMATION AND CLUSTER NULL PILOTS」と題された米国仮出願第６１／１０８，４２９号の優先権を主張する。いずれも、本願の譲受人に譲渡され、参照によって本明細書に組み込まれる。
【０００２】
（技術分野）
本開示は、一般に通信に関し、より詳しくは無線ネットワークにおいて干渉を推定するための技術に関する。
【背景技術】
【０００３】
無線通信ネットワークは、様々な通信コンテンツ（例えば、ボイス、ビデオ、パケット・データ、メッセージング、ブロードキャスト、その他）を提供するために、広く配置される。これらの無線ネットワークは、利用できるネットワーク資源を共有することによって複数のユーザをサポートすることができる多元接続ネットワークであることがある。そのようなマルチアクセス・ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、及びシングルキャリアＦＤＭＡ（ＳＣ−ＦＤＭＡ）ネットワークを含む。
【０００４】
無線通信ネットワークは、多数のユーザ装置（ＵＥ）に関する通信をサポートすることができる多数の基地局を含むことがある。ＵＥは、ダウンリンク及びアップリンクを介して基地局と通信することがある。ダウンリンク（又は、順方向リンク）は基地局からＵＥへの通信リンクを指し示し、アップリンク（又は、逆方向リンク）はＵＥから基地局への通信リンクを指し示す。
【０００５】
ＵＥは、無線ネットワークにおいて複数のセルを検出することがある。ここで、“セル（cell）”は、その用語が使用される文脈に応じて、基地局サブシステム又はそのカバレージエリアを指し示すことがある。セルは、そのＵＥにサービスするために選択されることがあり、また、サービング・セルと呼ばれることがある。あるいは、協調マルチポイント（cooperative multipoint）（ＣｏＭＰ）システムにおいて、セル・クラスター（cluster of cells）は、そのＵＥにサービスするために選択されることがあり、また、サービング・クラスターと呼ばれることがある。ＵＥは、他のセル（例えば、そのサービング・クラスター中にないセル）からの干渉を観測することがあり、その干渉は、サービング・セル又はクラスターからＵＥへのデータ伝送に影響を与えることがある。サービング・セル又はクラスターからのデータ伝送のパフォーマンスを向上させるために、他のセルからの干渉を正確に推定することができることは、望ましい場合がある。
【発明の概要】
【０００６】
無線通信ネットワークにおいて干渉推定をサポートするためにヌル・パイロットを送信するのための技術が説明される。ダウンリンク上において、ヌル・パイロットは、セル又はセル・クラスターによる、指定された時間−周波数資源（time-frequency resources）上の非伝送（non-transmission）である。セル・クラスターは、下記のように、所定のＵＥへの協調伝送（cooperative transmission）をサポートしても良い。クラスター中のセルは、ヌル・パイロットを送信しても良い。クラスター中のセルからのヌル・パイロットの受信電力は、他のセルからの干渉を示しても良い。ヌル・パイロットは、それゆえ、そのクラスター中にないセルからの干渉を含むクラスター外干渉（out-of-cluster interference）をＵＥが推定できるようにしても良い。クラスター外干渉は、セル・クラスターからＵＥへのデータ伝送をサポートするために使用されても良い。
【０００７】
一つのデザインにおいて、セル・クラスター中のセルは、該セルによりヌル・パイロットを送信するための資源を判定しても良い。一つのデザインにおいて、クラスター中の各々のセルは、ヌル・パイロットを送信するために異なる資源が割り当てられても良い。他のデザインにおいて、クラスター中のすべてのセルは、ヌル・パイロットを送信するために同一の資源を使用しても良く、異なるクラスターは、ヌル・パイロットを送信するために異なる資源を割り当てられても良い。いずれにしても、セルは、ＵＥがクラスター外干渉を推定できるようにするために、資源上でヌル・パイロットを送信しても良い（すなわち、いかなる伝送をも送信しないようにしても良い）。セルは、ＵＥから干渉情報及びチャネル情報を受信しても良い。先に述べたように、干渉情報は、ＵＥにより観測されるクラスター外干渉を示しても良く、また、様々な形で与えられても良い。セルは、干渉及び／又はチャネル情報に基づいて、データ伝送をＵＥに送信しても良い。クラスター中の残りのセルは、例えば該ＵＥから離れる方向にそれらの伝送を向ける（steering）ことによって及び／又はそれらの送信電力を低減することによって、該ＵＥへの干渉を低減しても良い。
【０００８】
一つのデザインにおいて、ＵＥは、セル・クラスター中の複数のセルによりヌル・パイロットを送信するために使用される資源を判定しても良い。ＵＥは、ヌル・パイロットを送信するために使用される資源上で、複数のセルからヌル・パイロットを受信しても良い。ＵＥは、該ヌル・パイロットに基づいて、該ＵＥにより観測されるクラスター外干渉を推定しても良く、また、干渉情報を判定しても良い。ＵＥはまた、クラスター中の少なくとも一つの潜在的なサービング・セルに関するチャネル情報を判定しても良い。ＵＥは、干渉情報及びチャネル情報を、クラスター中の少なくとも一つの指定されたセルに送信しても良い。ＵＥは、その後、該ＵＥからの干渉及び／又はチャネル情報に基づいて、クラスター中の少なくとも一つのサービング・セルにより送信されるデータ伝送を受信しても良い。
【０００９】
本開示の様々な態様及び特徴が以下で更に詳細に説明される。
【図面の簡単な説明】
【００１０】
【図１】図１は、無線通信ネットワークを示す。
【図２】図２は、複数のセル・クラスターを示す。
【図３】図３は、セル・ヌル・パイロットの例示的な伝送を示す。
【図４】図４は、クラスター・ヌル・パイロットの例示的な伝送を示す。
【図５】図５は、セルによりヌル・パイロットを送信するためのプロセスを示す。
【図６】図６は、ヌル・パイロットを送信するための装置を示す。
【図７】図７は、ＵＥによりヌル・パイロットを受信するためのプロセスを示す。
【図８】図８は、ヌル・パイロットを受信するための装置を示す。
【図９】図９は、基地局及びＵＥの一デザインを示す。
【詳細な説明】
【００１１】
本明細書で説明される技術は、例えばＣＤＭＡ、ＴＤＭＡ、ＦＤＭＡ、ＯＦＤＭＡ、ＳＣ−ＦＤＭＡ及び他のネットワークのような様々な無線通信ネットワークのために使用されても良い。用語“ネットワーク（network）”及び“システム（system）”は、しばしば互換的に使用される。ＣＤＭＡシステムは、例えばユニバーサル地上無線アクセス（Universal Terrestrial Radio Access）（ＵＴＲＡ）、ＣＤＭＡ２０００などのような無線技術を実装することができる。ＵＴＲＡは、ワイドバンドＣＤＭＡ（Ｗ−ＣＤＭＡ）及びＣＤＭＡの他の変形を含む。ＣＤＭＡ２０００は、ＩＳ−２０００標準、ＩＳ−９５標準及びＩＳ−８５６標準をカバーする。ＴＤＭＡシステムは、例えばグローバル移動体通信システム（Global System for Mobile Communications）（ＧＳＭ（登録商標））のような無線技術を実装することができる。ＯＦＤＭＡシステムは、例えばEvolved ＵＴＲＡ（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭａｘ）、ＩＥＥＥ ８０２．２０、Ｆｌａｓｈ−ＯＦＤＭ（登録商標）などのような無線技術を実装することができる。ＵＴＲＡ及びＥ−ＵＴＲＡは、ユニバーサル移動通信システム（ＵＭＴＳ）の一部である。３ＧＰＰロングタームエボリューション（ＬＴＥ）及びＬＴＥアドバンスト（ＬＴＥ−Ａ）は、Ｅ−ＵＴＲＡを使用するＵＭＴＳの新たなリリースである。ＵＴＲＡ、ＥＵＴＲＡ、ＵＭＴＳ、ＬＴＥ、ＬＴＥ−Ａ及びＧＳＭは、“第３世代パートナーシッププロジェクト”（３ＧＰＰ）という名前の団体からのドキュメントに記載されている。ｃｄｍａ２０００及びＵＭＢは、“第３世代パートナーシッププロジェクト２”（３ＧＰＰ２）という名前の団体からのドキュメントに記載されている。本明細書で説明される技術は、上記の無線ネットワーク及び無線技術のためにも、他の無線ネットワーク及び無線技術のためにも、使用されても良い。
【００１２】
図１は、複数の基地局１１０をもつ無線通信ネットワーク１００を示す。基地局は、ＵＥと通信する局であっても良く、Ｎｏｄｅ Ｂ、発展型Ｎｏｄｅ Ｂ（ｅＮＢ）、アクセスポイントなどと呼ばれることもある。各々の基地局１１０は、特定の地理的エリアのための通信カバレージを提供しても良い。３ＧＰＰにおいて、“セル”という用語は、その用語が使用される文脈に応じて、基地局のカバレージエリア及び／又はこのカバレージエリアをサービスする基地局サブシステムを指し示すことができる。３ＧＰＰ２において、“セクター”又は“セル−セクター”という用語は、基地局のカバレージエリア及び／又はこのカバレージエリアをサービスする基地局サブシステムを指し示すことができる。明確にするために、“セル”の３ＧＰＰの概念が、以下の説明で使用される。基地局は、１又は複数の（例えば、３つの）セルをサポートしても良い。
【００１３】
基地局は、マクロセル、ピコセル、フェムトセル及び／又は他のタイプのセルのための通信カバレージを提供しても良い。マクロセルは、比較的広い地理的エリア（例えば、半径で数キロメートル）をカバーしても良く、また、サービス登録（service subscription）をもつＵＥによる無制限のアクセスを可能にしてもよい。ピコセルは、比較的小さな地理的エリアをカバーしても良く、また、サービス登録（service subscription）をもつＵＥによる無制限のアクセスを可能にしてもよい。フェムトセルは、比較的小さな地理的エリア（例えば、ホーム）をカバーしても良く、また、該フェムトセルとの関連を持つＵＥ（例えば、該ホームにおけるユーザのためのＵＥ）による制限されたアクセスを可能にしても良い。異なるタイプのセルは、異なる送信電力レベルをもっても良い（例えば、マクロセルについて１ワット、そして、ピコセル及びフェムトセルについて２０ワット）。
【００１４】
無線ネットワーク１００はまた、中継局を含んでも良い。中継局は、上流局（upstream station）（例えば、基地局又はＵＥ）からデータ及び／又は他の情報の伝送を受信する局であり、また、下流局（downstream station）（例えば、ＵＥ又は基地局）にデータ及び／又は他の情報の伝送を送信する局である。中継局はまた、他のＵＥに関する伝送を中継するＵＥであっても良い。
【００１５】
ネットワーク・コントローラ１３０は、一組の基地局に接続されても良く、また、これらの基地局に調整（coordination）及び制御を提供しても良い。ネットワーク・コントローラ１３０は、バックホールを介して、基地局１１０と通信しても良い。基地局１１０はまた、例えば無線又は有線バックホールを介して間接的に又は直接的に、互いに通信しても良い。
【００１６】
ＵＥ１２０は、無線ネットワーク１００全体に分散されていても良く、また、各々のＵＥは、固定されたものであっても良いし或いはモバイルであっても良い。ＵＥは、端末、モバイル局、加入者ユニット、局などと呼ばれることもある。ＵＥは、携帯電話、携帯情報端末（ＰＤＡ）、無線モデム、無線通信デバイス、携帯用デバイス、ラップトップ・コンピュータ、コードレス電話、ワイヤレスローカルループ（ＷＬＬ）局などであっても良い。図１において、片矢付き実線は、サービング・セルからＵＥまでの所望のデータ伝送を示し、片矢付き破線は、非サービング・セルからＵＥまでの干渉する伝送を示す。サービング・セルは、ダウンリンク及び／又はアップリンク上でＵＥにサービスするように指定されたセルである。アップリンク伝送は、簡単にするために、図１では示されていない。
【００１７】
無線ネットワーク１００は、パフォーマンスを向上させるために、ダウンリンク上で協調伝送をサポートしても良い。協調伝送は、協調マルチポイント（ＣｏＭＰ）、ネットワーク多重入力多重出力（ＭＩＭＯ）、分散ＭＩＭＯ（distributed MIMO）などと呼ばれることもある。協調伝送によって、一組のセルは、１又は複数のＵＥにサービスするために、互いに協調しても良い。異なる形の協調伝送がサポートされても良く、サイト間パケット共有（inter-site packet sharing）（ＩＳＰ）、協調ビフォーミング（ＣＢ）、協調サイレンシング（cooperative silencing）（ＣＳ）などを含んでも良い。ＩＳＰについては、（同一又は異なる基地局の）複数のセルが、単一のＵＥにパケットを送信しても良い。各々のセルは、そのセルについて該ＵＥにより判定されるプリコーディング情報に基づいて、該ＵＥにデータ伝送を送信しても良い。ＣＢについては、セルは、干渉されるＵＥに対する干渉を低減するために、サービスされる該ＵＥに向かい且つ隣接するセル中の干渉されるＵＥから離れる方向にデータ伝送を向けるように選択されたプリコーディング行列を使って、データ伝送を送信しても良い。ＣＳについては、セルは、干渉されるＵＥに対する干渉を低減するために、その送信電力を（できる限りゼロまで）低減しても良い。
【００１８】
一般に、クラスターは、一組のセルである。協調伝送について、クラスターは、１又は複数のＵＥにサービスするために互いに協調し得るセルを含んでも良い。例えば、図１において、３つのセル１，２及び３からなるクラスターは、ＵＥ１２０ｘにサービスするために、協調しても良い。図１中の他のＵＥは、同一のセル・クラスター又は異なるセル・クラスターによりサービスされても良い。
【００１９】
図２は、複数のセル・クラスターの一例を示す。この例において、クラスターＡは、セルＡ１，Ａ２及びＡ３を含み、クラスターＢは、セルＢ１，Ｂ２，その他を含み、クラスターＣは、セルＣ１，Ｃ２，Ｃ３，その他を含み、クラスターＤは、セルＤ１，Ｄ２，Ｄ３，その他を含み、クラスターＥは、セルＥ１，その他を含む。各々のセル・クラスターは、これらのセルのカバレージ内に位置するＵＥにサービスしても良い。
【００２０】
一般に、一つのクラスターは、任意の数のセルを含んでも良い。異なるクラスターは、同一の数のセルを含んでも良いし（図２において示されていない）、あるいは、異なる数のセルを含んでも良い（図２において示されるように）。一つのデザインにおいて、クラスターは、オーバーラップしていなくても良く、また、各々のセルは、唯一のクラスターにのみ属しても良い（例えば、図２で示すように）。他のデザインにおいて、クラスターは、オーバーラップしていても良いし、また、所定のセルは、１又は複数のクラスターに属しても良い。クラスターは、静的な方法、半静的な方法又は動的な方法で定義されても良い。一つのデザインにおいて、クラスターは、静的に定義されても良く、また、各々のＵＥは、ＵＥ位置をカバーするクラスター中のセルによりサービスされても良い。他のデザインにおいて、クラスターは、動的に定義されても良い。各々のＵＥは、十分な受信信号強度でＵＥにより検出されるセル・クラスターによってサービスされても良い。クラスターは、他の方法で定義されても良い。異なるＵＥは、これらのＵＥにサービスすることができる異なるセル・クラスターに関連していても良い。
【００２１】
様々なタイプの情報が、セル・クラスターからＵＥへの協調伝送をサポートするために使用されても良い。様々なタイプの情報は、（ｉ）クラスター中の各々の潜在的なサービング・セルに関するチャネル情報、及び、（ｉｉ）ＵＥにより観測されるクラスター外干渉を示す干渉情報を含んでも良い。チャネル情報及び干渉情報は、データ伝送についてＵＥをスケジュールするために、該ＵＥに適したレートを選択するために、そして、データ伝送を該ＵＥに送信するために、使用されても良い。レートは、変調及び符号化スキーム（modulation and coding scheme）（ＭＣＳ）、伝送フォーマット（transport format）、パケット・フォーマットなどと呼ばれることもある。
【００２２】
一つの態様において、ヌル・パイロットは、ＵＥによるクラスター外干渉の推定をサポートするために使用されても良い。ヌル・パイロットは、指定された時間−周波数資源（それはヌル・パイロット資源と呼ばれることがある）上でセルにより送信されても良い。ヌル・パイロット資源は、様々な方法で定義されても良い。
【００２３】
図３は、クラスター外干渉推定をサポートするためのセル・ヌル・パイロットの例示的な伝送を示す。セル・ヌル・パイロットは、セルに割り当てられる時間−周波数資源上の非伝送である。図３において、各々のセルに関する水平軸は時間を表し、垂直軸は周波数を表しても良い。各々のセルは、各々のヌル・パイロット・インターバル（それは任意の適当な継続時間（time duration）であってもよい）においてヌル・パイロット資源上でそのヌル・パイロットを送信しても良い。図３において示されるように、異なるセルは、それらのヌル・パイロットのために異なる時間−周波数資源が割り当てられても良く、それゆえ、異なるヌル・パイロット資源に関連していても良い。
【００２４】
所定のセルのためのヌル・パイロット資源は、例えばセル識別情報（ＩＤ）のような１又は複数のセル固有パラメータ（cell-specific parameters）に基づいて定義されても良い。各々のセルは、（ｉ）隣接するセルのヌル・パイロット資源とオーバーラップしていないヌル・パイロット資源を割り当てられても良いし、又は、（ｉｉ）隣接するセルのヌル・パイロット資源とわずかにオーバーラップしているヌル・パイロット資源を割り当てられても良い。一つのデザインにおいて、所定のセルのためのヌル・パイロット資源は、周波数ダイバーシティーを達成するために且つ隣接するセルのヌル・パイロット資源との衝突をランダマイズするために、周波数にわたって異なる時間−周波数資源を選択し得るホッピング関数に基づいて選択されても良い。他のデザインにおいて、各々のセルは、そのヌル・パイロットのために静的な時間−周波数資源を割り当てられても良い。各々のセルのためのヌル・パイロット資源はまた、他の方法で定義されても良い。
【００２５】
セルは、様々な方法で、そのヌル・パイロット資源上でヌル・パイロットを送信しても良い。第１のデザインにおいて、セルは、単にそのヌル・パイロット資源（それはヌル・パイロットのために確保されていて、他の伝送に対して割り当てらていなくても良い）の上で何も送信しないうにしても良い。第２のデザインにおいて、セルは、ヌル・パイロット資源にマッピングされた、任意のデータ、制御及び／又はパイロットの伝送を、パンクチャー（又は、削除）しても良い。パイロットは、既知の伝送であり、基準信号（reference signal）、トレーニングなどと呼ばれることもある。第３のデザインにおいて、セルは、データ、制御及び／又はパイロットの伝送を、ヌル・パイロット資源でラップ（wrap）しても良い。このデザインにおいて、セルは、ヌル・パイロット資源にマッピングされた、データ、制御及び／又はパイロットのシンボルをセーブ（save）し、そして、データ、制御及び／又はパイロットの伝送のために次に利用可能な資源上で、それらシンボルを再マッピングしても良い。第２及び第３のデザインについて、ヌル・パイロット資源は、ヌル・パイロットのために特に確保されておらず、また、単に、データ、制御及び／又はパイロットのために使用される資源と置き換えられても良い。ヌル・パイロット資源上の伝送のブランキングはまた、他の方法で達成されても良い。他のセルは、このセルのヌル・パイロット資源をブランキングせず、また、これらの資源上でそれらの伝送を送信しても良い。
【００２６】
図４は、クラスター外干渉推定をサポートするためのクラスター・ヌル・パイロットの例示的な伝送を示す。クラスター・ヌル・パイロットは、セル・クラスターに割り当てられる時間−周波数資源上の非伝送である。クラスター中のすべてのセルは、それらのヌル・パイロットのために同一の時間−周波数資源を使用しても良く、そして、同一のヌル・パイロット資源を有しても良い。異なるクラスターは、それらのヌル・パイロットのために異なる時間−周波数資源が割り当てられても良く、それゆえ、異なるヌル・パイロット資源に関連していても良い。
【００２７】
所定のクラスターのためのヌル・パイロット資源は、例えばクラスターＩＤのような１又は複数のクラスター固有パラメータ（cluster-specific parameters）に基づいて定義されても良い。各々のクラスターは、（ｉ）隣接するクラスターのヌル・パイロット資源とオーバーラップしていないヌル・パイロット資源を割り当てられても良いし、又は、（ｉｉ）隣接するクラスターのヌル・パイロット資源とわずかにオーバーラップしているヌル・パイロット資源を割り当てられても良い。一つのデザインにおいて、所定のクラスターのためのヌル・パイロット資源は、周波数にわたって異なる時間−周波数資源を選択し得るホッピング関数に基づいて選択されても良い。他のデザインにおいて、各々のクラスターは、ヌル・パイロットのために静的な時間−周波数資源を割り当てられても良い。各々のクラスターのためのヌル・パイロット資源はまた、他の方法で定義されても良い。
【００２８】
クラスター中の各々のセルは、様々な方法で、該クラスターのためのヌル・パイロット資源上でヌル・パイロットを送信しても良い。第１のデザインにおいて、各々のセルは、単にヌル・パイロット資源上で何も送信しないようにしても良い。第２のデザインにおいて、各々のセルは、ヌル・パイロット資源にマッピングされた、任意のデータ、制御及び／又はパイロットの伝送を、パンクチャーしても良い。第３のデザインにおいて、各々のセルは、そのデータ、制御及び／又はパイロットの伝送を、ヌル・パイロット資源でラップしても良い。ヌル・パイロット資源上の伝送のブランキングは、他の方法で達成されても良い。他のクラスター中のセルは、このクラスターのヌル・パイロット資源をブランキングせず、また、（ｉ）これらの資源上でそれらの伝送を送信しても良く、あるいは、（ｉｉ）これらの資源上で特別なパイロットを送信しても良い。該特別なパイロットは、該ヌル・パイロット資源に関連する資源上での他のクラスター中のセルによる送信電力レベル及び／又は将来の伝送のビーム方向を示しても良い。
【００２９】
システム・バンド幅は、複数のサブバンドに分割されていても良く、また、各々のサブバンドは、周波数範囲（例えば、ＬＴＥにおける１．０８メガヘルツ（ＭＨｚ））をカバーしても良い。ダウンリンク及びアップリンクの各々のための伝送スケジュールは、複数のサブフレーム・ユニット（units of subframes）に分割されても良い。各々のサブフレームは、所定の継続期間（例えば、１ミリ秒（ｍｓ））を有しても良く、また、２つのスロットを含んでも良い。各々のリンクのための利用可能な時間−周波数資源は、複数の資源ブロックに分割されても良い。各々の資源ブロックは、特定の時間及び周波数ディメンション（例えば、ＬＴＥについて１スロット中に１２サブキャリア）をカバーしても良い。
【００３０】
セル・ヌル・パイロット及びクラスター・ヌル・パイロットのためのヌル・パイロット資源は、異なる粒度（granularities）で定義されても良い。一つのデザインにおいて、単一のセットのヌル・パイロット資源は、すべてのサブフレーム及びすべてのサブバンドについて定義されても良い。このデザインにおいて、セルは、各々のヌル・パイロット・サブフレーム（それはヌル・パイロットが送信されるサブフレームである）において特定の時間−周波数資源上でヌル・パイロットを送信しても良い。他のデザインにおいて、異なるセットのヌル・パイロット資源は、（ｉ）異なるサブフレーム及び／又はサブバンドについて、又は、（ｉｉ）サブフレーム及び／又はサブバンドの異なるグループについて、定義されても良い。例えば、セルは、所定のヌル・パイロット・サブフレームの異なるサブバンドにおいて、異なるブロックの時間−周波数資源の上で、ヌル・パイロットを送信しても良い。このデザインは、ＵＥが、異なるサブフレーム及び／又はサブバンドについて別々のクラスター外干渉推定を取得し、そして、特定の資源について受信信号品質を判定できるようにしても良い。このデザインはまた、異なるセル・クラスター間でのより効率的な資源分割を可能にしても良い。両方のデザインについて、ヌル・パイロット資源は、ダイバーシティーを達成するために、周波数にわたって（例えば、サブバンド）及び／又は時間にわたって（例えば、サブフレーム）変化しても良い。ヌル・パイロット資源はまた、周波数ダイバーシティーを達成するために及び異なるセル又はクラスターのためのヌル・パイロット資源の衝突をランダマイズするために、周波数にわたってホップしても良い。
【００３１】
所定のＵＥは、様々な方法で、セル・ヌル・パイロットに基づいて、クラスター外干渉を推定しても良い。ＵＥは、該ＵＥにサービスするために協調し得るＫ個のセルからなるクラスターに関連しても良い。ここで、Ｋは、１より大きな任意の値であっても良い。クラスター中の各々のセルは、そのヌル・パイロット資源上でセル・ヌル・パイロットを送信しても良い。クラスター中のＫ個のセルは、異なるヌル・パイロット資源上でそれらのセル・ヌル・パイロットを送信しても良い（例えば、図３で示すように）。
【００３２】
第１のデザインにおいて、ＵＥは、クラスター中の各々のセルからのセル・ヌル・パイロットの受信電力Ｉｋを測定しても良い。受信電力Ｉｋは、以下のように表されても良い。
【数１】
0005596016.tif 000002
【００３３】
ここで、  
ＰＲＸ，ｋは、ＵＥにおけるセルｋの受信電力であり、  
ＰＲＸ，ｔｏｔａｌは、ＵＥにおけるトータル受信電力（total received power）であり、  
Ｉｋは、ＵＥにおけるセルｋを除くすべてのセルの受信電力である。  
Ｉｋは、ＵＥにおけるセルｋに対するトータル干渉（total interference）と呼ばれることもある。
【００３４】
各々のセルからのセル・ヌル・パイロットは、それゆえ、クラスター中のセルを含む他の全てのセルからのトータル干渉Ｉｋを推定するために使用されても良い。ＵＥは、クラスター中のＫ個のセルからのセル・ヌル・パイロットに関するＫ個の受信電力を得ても良い。ＵＥはまた、任意の資源上での任意の適当な伝送に基づいて、該ＵＥにおけるトータル受信電力を測定しても良い。ＵＥは、それから、以下のようにクラスター外干渉を推定しても良い。
【数２】
0005596016.tif 000003
【００３５】
ここで、ＩＯＯＣは、ＵＥにより観測されるクラスター外干渉である。
【００３６】
式（２）で示されるように、クラスター外干渉は、クラスター中のセルの受信電力を除いて、ＵＥにおけるすべての受信電力を含んでも良い。ＵＥは、異なるヌル・パイロット資源に関するクラスター外干渉推定を得ても良く、また、より正確なクラスター外干渉推定を得るために、時間及び／又は周波数にわたってこれら推定をフィルタリング／アベレージングしても良い。
【００３７】
ＵＥはまた、以下のようにクラスター外干渉に関する上限（upper bounds）を取得しても良い。
【数３】
0005596016.tif 000004
【００３８】
式（３）で示されるように、クラスター外干渉は、クラスター中のセルからのセル・ヌル・パイロットの受信電力の最小値又は平均値によって制限されても良い。式（３）において、先に述べたように、各々のセルに関するトータル干渉Ｉｋは、そのフィルタリング／アベレージングされたバージョンと置き換えられても良い。
【００３９】
図１に示される例について、ＵＥ１２０ｘは、３つのセル１，２及び３からなるクラスターに関連していても良い。ＵＥ１２０ｘは、クラスター中の各々のセルからのセル・ヌル・パイロットの受信電力を測定しても良く、また、以下を得ても良い。
【数４】
0005596016.tif 000005
【００４０】
ＵＥ１２０ｘはまた、該ＵＥにおけるトータル受信電力ＰＲＸ，ｔｏｔａｌを測定しても良い。ＵＥ１２０ｘは、それから、以下のようにクラスター外干渉を推定しても良い。
【数５】
0005596016.tif 000006
【００４１】
第２のデザインにおいて、式（１）で示されるように、ＵＥは、クラスター中の特定のセルｋからのセル・ヌル・パイロットの受信電力Ｉｋを測定しても良い。ＵＥはまた、例えば該セルからのパイロット伝送に基づいて、クラスター中の残りのセルの各々の受信電力ＰＲＸ，ｋを測定しても良い。ＵＥは、それから、以下のようにセルｋに関するクラスター外干渉推定を得ても良い。
【数６】
0005596016.tif 000007
【００４２】
ここで、ＩＯＯＣ，ｋは、セルｋからのセル・ヌル・パイロットに基づくセルｋに関するクラスター外干渉推定である。
【００４３】
ＵＥは、クラスター中の１又は複数のセルからのセル・ヌル・パイロットの受信電力を測定しても良く、また、各々の測定されたセルに関するクラスター外干渉推定を得ても良い。ＵＥは、十分に高い受信電力をもつ、測定されたセルに関するクラスター外干渉推定を、保持しても良く、また、残りのクラスター外干渉推定を破棄しても良い。ＵＥは、クラスター外干渉のより正確な推定を得るために、以下のように、クラスター中の一部又は全部のセルに関するクラスター外干渉推定を、フィルタリング／アベレージングしても良い。
【数７】
0005596016.tif 000008
【００４４】
ここで、Filter { }は、任意の適当なフィルタリング／アベレージング関数であっても良い。  
ＵＥはまた、より正確なクラスター外干渉推定を得るために、時間及び／又は周波数にわたって、異なるヌル・パイロット資源に関するクラスター外干渉推定をフィルタリングしても良い。
【００４５】
図１に示される例について、ＵＥ１２０ｘは、クラスター中の各々のセルからのセル・ヌル・パイロットの受信電力を測定しても良く、また、式のセット（４）で示される測定結果を得ても良い。ＵＥ１２０ｘはまた、クラスター中の各々のセルの受信電力を測定しても良く、また、ＰＲＸ，１，ＰＲＸ，２及びＰＲＸ，３を得ても良い。ＵＥ１２０ｘは、それから、以下のように、クラスター中の各々のセルに関するクラスター外干渉推定を得ても良い。
【数８】
0005596016.tif 000009
【００４６】
ＵＥ１２０ｘは、以下のように、クラスター中の３つのセルに関するクラスター外干渉推定をアベレージングしても良い。
【数９】
0005596016.tif 000010
【００４７】
ＵＥ１２０ｘはまた、他の方法で、クラスター外干渉推定をフィルタリングしても良い。
【００４８】
ＵＥはまた、他の方法で、セル・ヌル・パイロットに基づいて、クラスター外干渉を推定しても良い。ＵＥは、例えば測定を行うために利用可能な伝送、利用可能な伝送に関する測定結果の信頼性などのような様々な要因に基づいて、クラスター外干渉を推定するための特定のデザイン又はスキームを選択しても良い。例えば、ＵＥは、クラスター中のセルからのヌル・パイロットの受信電力Ｉｋが信頼できるように測定されることができるならば、上で説明された第１のデザインを使用しても良い。これは、クラスター中の諸セルが、ＵＥにおいて同程度の信号強度で受信される場合のケースであっても良い。ＵＥは、クラスター中の残りのセルの受信電力Ｐｋだけでなく一つの特定のセルからのヌル・パイロットの干渉電力Ｉｋが信頼できるように測定されることができるならば、上で説明された第２のデザインを使用しても良い。これは、クラスター中の他のセルと比較して、ＵＥが一つのセルから大幅に（substantially）より強い信号を受信する場合のケースであっても良い。
【００４９】
一つのデザインにおいて、ＵＥは、以下のように、そのセルからのセル・ヌル・パイロットの受信電力に基づいて、クラスター中のセルの受信電力を推定しても良い。
【数１０】
0005596016.tif 000011
【００５０】
ここで、ＰＲＸ，ｔｏｔａｌは、任意の資源上での任意の適当な伝送に基づいて、ＵＥにより測定されても良く、また、Ｉｋは、セルｋからのセル・ヌル・パイロットに基づいて、ＵＥにより測定されても良い。他のデザインにおいて、クラスター中のセルの受信電力は、既知の時間−周波数資源上で該セルにより送信される基準信号又はパイロットに基づいて推定されても良い。
【００５１】
所定のＵＥは、様々な方法で、クラスター・ヌル・パイロットに基づいて、クラスター外干渉を推定しても良い。ＵＥは、該ＵＥにサービスするために協調し得るセル・クラスターに関連していても良い。クラスター中の各々のセルは、該クラスターのためのヌル・パイロット資源上でクラスター・ヌル・パイロットを送信しても良い（例えば、図４で示すように）。ＵＥは、クラスター中のセルからのクラスター・ヌル・パイロットの受信電力ＰＲＸ，ｎｕｌｌを測定しても良い。ＵＥは、以下のように、クラスター外干渉の推定として、この受信電力を使用しても良い。
【数１１】
0005596016.tif 000012
【００５２】
ＵＥは、クラスターのための異なるヌル・パイロット資源に関するクラスター外干渉推定を得ても良く、また、クラスター外干渉のより正確な推定を得るために、これらの推定をフィルタリング／アベレージングしても良い。ＵＥはまた、他の方法で、クラスター・ヌル・パイロットに基づいて、クラスター外干渉を推定しても良い。
【００５３】
ＵＥは、複数（Ｒ個）の受信アンテナを備えていても良く、また、クラスター中のサービング・セルからのデータ伝送を受信しても良い。ＵＥにおける複数の受信アンテナからの受信シンボル（received symbols）は、以下のように表されても良い。
【数１２】
0005596016.tif 000013
【００５４】
ここで、  
ｓは、サービング・セルによりＵＥへ送信されるデータ・シンボルのベクトルであり、  
Ｐは、サービング・セルにより使用されるプリコーディング行列であり、  
Ｈは、サービング・セルからＵＥへのダウンリンク・チャネルに関するチャネル行列であり、  
Ｈｅｆｆ＝Ｈ Ｐは、実効チャネル行列（effective channel matrix）であり、  
ｒは、ＵＥにおける受信シンボルのベクトルであり、  
ｎは、ＵＥにおける雑音及び干渉のベクトルである。
【００５５】
クラスター中のセルは、ＵＥへのデータ伝送のために協調しても良い。サービング・セルは、該ＵＥに向かい且つ該クラスター中の他のセルによりサービスされる得る他のＵＥから離れる方向にデータ伝送を向けるプリコーディング行列Ｐを選択しても良い。クラスター中の他のセルは、該ＵＥから離れる方向にデータ伝送を向けても良い。そして、ベクトルｎは、大部分、ＵＥにより観測されるクラスター外干渉を含んでも良い。
【００５６】
クラスター・ヌル・パイロット（例えば図４に示される）について、ＵＥは、クラスター中のセルからのヌル・パイロットに関する受信シンボルに基づいて、干渉ベクトルｎを推定しても良い。ＵＥは、以下のように、干渉共分散行列Ｒｎｎを得ても良い。
【数１３】
0005596016.tif 000014
【００５７】
ここで、Ｅ｛ ｝は期待値演算（expectation operation）を意味し、  
“ Ｈ ”は、エルミート又は共役転置行列（Hermitian or conjugate transpose）を意味する。
【００５８】
ＵＥは、異なるヌル・パイロット資源について異なる干渉ベクトルｎを得ても良い。ＵＥは、各々の干渉ベクトルｎの外積を計算しても良く、そして、干渉共分散行列Ｒｎｎを得るために、すべての干渉ベクトルの外積を平均しても良い。
【００５９】
例えば図３に示されるセル・ヌル・パイロットに関して、ＵＥは、クラスター中の各々のセルｋからのヌル・パイロットに関する受信ベクトルｒｋを得ても良い。
【数１４】
0005596016.tif 000015
【００６０】
ＵＥは、干渉共分散行列Ｒｎｎを、ネットワークに（例えば、サービング・セルに）送信しても良い。一つのデザインにおいて、ＵＥは、Ｒｎｎのすべての要素をネットワークに送信しても良い。Ｒｎｎは、Ｒ×Ｒ行列であるので、ＵＥは、Ｒ＝４である場合について、Ｒｎｎの１６の要素を送信しても良い。他のデザインにおいて、ＵＥは、Ｒｎｎの要素を圧縮して、該圧縮された要素を送信しても良い。さらに他のデザインにおいて、ＵＥは、以下のようにＲｎｎの固有値分解（eigenvalue decomposition）を実行しても良い。
【数１５】
0005596016.tif 000016
【００６１】
ここで、  
Ｅは、Ｒｎｎの固有ベクトル（eigenvector）のユニタリ行列（unitary matrix）であり、  
Λは、Ｒｎｎの固有値（eigenvalues）の対角行列（diagonal matrix）である。
【数１６】
0005596016.tif 000017
【００６２】
Ｅの列は、互いに直交しており、各々の列は、単位パワー（unit power）を有する。ＥのＴ個の列は、Ｔ固有ベクトルと呼ばれる。ΛのＴ対角要素は、Ｒｎｎの固有モード（eigenmodes）のパワー・ゲイン（power gains）を表す固有値であり、ＥのＴ固有ベクトルに関連している。ＵＥは、Ｌ個の最も大きい固有値及び対応するＬ個の固有ベクトルをネットワークにレポートしても良い（ここで、ＬはＲより少なくもて良い）。ＵＥはまた、他の方法で、干渉共分散行列Ｒｎｎをネットワークに送信しても良い。ネットワークは、データ伝送についてＵＥをスケジュールするために、そして、該スケジュールされたＵＥに適したレートを選択するために、該ＵＥ及び他のＵＥからの干渉共分散行列を使用しても良い。
【００６３】
ＵＥは、該ＵＥにより観測されるクラスター外干渉を低減するために、最小平均二乗誤差（minimum mean square error）（ＭＭＳＥ）技術又は何らかの他の検出技術に基づいて、受信機空間処理（receiver spatial processing）を実行しても良い。ＵＥは、以下のように、ＭＭＳＥ技術に基づいて、空間フィルタ行列Ｍを得ても良い。
【数１７】
0005596016.tif 000018
【００６４】
ＵＥは、以下のように、受信機空間処理を実行しても良い。
【数１８】
0005596016.tif 000019
【００６５】
ＵＥは、様々な方法で、干渉情報及び／又はチャネル情報を送信しても良い。一つのデザインにおいて、ＵＥは、クラスター外干渉をヌルにする（null out）ために、受信機空間処理スキーム（例えば、ＭＭＳＥ）を選択しても良い。
【数１９】
0005596016.tif 000020
【数２０】
0005596016.tif 000021
【００６６】
ＵＥは、ポスト処理された干渉及びチャネル情報を、ネットワークに送信しても良い。他のデザインにおいて、ＵＥは、受信機空間処理スキームを選択しても良く、また、この受信機空間処理スキームをレポートしても良い。ＵＥはまた、生の干渉情報（例えば、干渉ベクトルｎ又は干渉共分散行列Ｒｎｎ）及び生のチャネル情報（例えば、各々の潜在的なサービング・セルのためのチャネル行列Ｈ）を、ネットワークに送信しても良い。さらにもう一つのデザインにおいて、受信機空間処理スキームは、単独で（例えばレイヤ３（Ｌ３）メッセージを介して）、予め定義又は通信されても良い。ＵＥは、生の干渉情報及び生のチャネル情報のみをレポートしても良い。
【００６７】
一つのデザインにおいて、ネットワークは、該ＵＥによりレポートされる干渉及びチャネル情報を受信しても良く、また、例えば該ＵＥのためのスケジューリング、レート選択などのような様々な目的のために、該レポートされた情報を使用しても良い。ネットワークは、異なるプリコーディング行列を評価しても良く、また、良好なパフォーマンスを提供することができるプリコーディング行列を選択しても良い。ネットワークは、（ｉ）ＵＥによりレポートされる干渉及びチャネル情報（例えば、干渉共分散行列Ｒｎｎ及びチャネル行列Ｈ）、（ｉｉ）サービング・セルのために選択されるプリコーディング行列Ｐ、及び、（ｉｉｉ）ＵＥのために使用される受信機空間処理スキームに基づいて、受信信号品質を評価しても良い。ネットワークは、ＵＥにおける推定受信信号品質に基づいて、該ＵＥのためのレートを選択しても良い。サービング・セルは、それから、プリコーディング行列Ｐを使って、選択されたレートで、データ伝送を、ＵＥに送信しても良い。
【００６８】
他のデザインにおいて、ネットワークは、様々なＵＥから干渉及びチャネル情報を受信しても良い。各々のＵＥは、各々の潜在的なサービング・セルのための干渉情報（例えば、クラスター外干渉）及びチャネル情報（例えば、チャネル行列）をレポートしても良い。ネットワークは、例えばスケジューリング、レート選択、干渉回避又は緩和（interference avoidance or mitigation）、干渉管理などのような様々な目的のために、該ＵＥからの干渉及びチャネル情報を使用しても良い。例えば、ネットワークは、異なる可能なスケジューリング・シナリオを評価するために及び良好なパフォーマンスを達成することができるスケジューリング・シナリオを選択するために、干渉及びチャネル情報を使用しても良い。各々の可能なスケジューリング・シナリオは、互いに協調することができる特定のセル・クラスター、特定のタイプの協調（例えば、ＩＳＰＳ、ＣＢ、ＣＳなど）、セル・クラスターによりサービスされるべき特定のセットのＵＥ、特定のセットの時間−周波数資源、並びに、時間−周波数資源上でのクラスター中の各々のセルのための特定のビーム方向及び特定の送信電力レベルに対応しても良い。異なる可能なスケジューリング・シナリオの評価は、例えば全体的なレート（overall rate）、公正性、サービス品質（ＱｏＳ）要求などのような１又は複数のネットワーク有用性基準（network utility criteria）に基づいても良い。評価は、ＵＥによりネットワークにレポートされる干渉及びチャネル情報に基づいて実行されても良い。レポートされた干渉及びチャネル情報は、それゆえ、ＵＥをサービスするためのセル・クラスター及び／又は方法（strategy）が該ＵＥにおいて知られていない可能性がある場合に、ネットワークが、協調伝送に関するパフォーマンスを向上できるようにしても良い。
【００６９】
先に述べたように、本明細書で説明されるヌル・パイロットは、クラスター外干渉を推定するために使用されても良い。ヌル・パイロットはまた、例えばセルにより観測される他のセルからの干渉を含むセル外干渉の推定のような他の目的のために、使用されても良い。
【００７０】
一つのデザインにおいて、ヌル・パイロットは、アップリンク上の制御された又は制御されていない干渉の量を推定するために使用されても良い。所定のセルは、セルにより観測される干渉を示す干渉インジケータを判定しても良いし、また、隣接するセル中の干渉するＵＥに干渉インジケータを送信しても良い。幾つかのＵＥは、干渉インジケータを引き受けて（honor）も良く／干渉インジケータに従って（obey）も良く、それに応じて、それらの送信電力を調節しても良い。そして、これらのＵＥは、“制御された（controlled）”干渉をセルにもたらし得る。他のＵＥは、干渉インジケータを却下（dismiss）／無視（ignore）しても良く、また、これらのＵＥは、“抑制されていない（uncontrolled）”干渉をセルにもたらし得る。用語“制御された（controlled）”及び“制御されていない（uncontrolled）”は、それゆえ、干渉インジケータを介して干渉を制御するためのセルの能力を指し示すことがある。セルにおけるトータル干渉は、干渉インジケータを引き受けている（honoring）ＵＥからの制御された干渉、及び、干渉インジケータを却下している（dismissing）ＵＥからの制御されていない干渉を含んでも良い。
【００７１】
セルが、制御されている干渉と抑制されていない干渉とを区別できるようにするために、セルからの干渉インジケータを引き受ける（honor）ＵＥは、該セルのためのヌル・パイロット資源上でいかなる伝送も送信しなくても良い。干渉インジケータを却下する（dismiss）ＵＥは、通常の方法で、ヌル・パイロット資源上で送信しても良い。セルは、ヌル・パイロット資源の受信電力を測定することによって、制御されていない干渉を推定しても良い。セルは、他の資源の受信電力を測定することによって、トータル干渉を推定しても良い。セルは、制御されていない干渉をトータル干渉から減じることによって、制御された干渉を判定しても良い。
【００７２】
他のデザインにおいて、ヌル・パイロットは、異なる電力クラス（power classes）のセルによりサービスされるＵＥからの干渉を区別するために、使用されても良い。例えば、異なるヌル・パイロット資源は、異なる電力クラスのセルのために確保されていても良い。所定の電力のクラスＸにより（例えば、ハイパワー（high power）クラスのマクロセルにより）サービスされるＵＥは、電力クラスＸのためのヌル・パイロット資源上で送信することを避けても良い。他の電力クラスのセル（例えば、ローパワー（lower-power）クラスのピコセル及びフェムトセル）によりサービスされるＵＥは、電力クラスＸのためのヌル・パイロット資源上で送信しても良い。そして、他の電力クラスのセルによりサービスされるＵＥに起因する干渉は、電力クラスＸのためのヌル・パイロット資源上の受信電力に基づいて判定されても良い。
【００７３】
図５は、無線ネットワークにおいてヌル・パイロットを送信するためのプロセス５００のデザインを示す。プロセス５００は、（下記のように）セルにより又は何らかの他の実体により、実行されても良い。セルは、セル・クラスターに属しても良く、また、該セルによりヌル・パイロットを送信するための資源を判定しても良い（ブロック５１２）。一つのデザインにおいて、クラスター中の各々のセルは、ヌル・パイロットを送信するために異なる資源を割り当てられても良い（例えば、図３で示すように）。他のデザインにおいて、クラスター中のすべてのセルは、ヌル・パイロットを送信するために同一の資源を使用しても良く、また、異なるクラスターは、ヌル・パイロットを送信するために異なる資源が割り当てられても良い（例えば、図４で示すように）。セルは、セル又はクラスターのＩＤの関数に基づいて、ヌル・パイロットを送信するための資源を判定しても良い。該関数は、ヌル・パイロットを送信するための異なる資源を（周波数及び／又は時間にわたって）選択するホッピング関数を含んでも良い。
【００７４】
セルは、ＵＥが、そのクラスター中にないセルからの干渉を含むクラスター外干渉を推定できるようにするために、該資源上でヌル・パイロットを送信しても良い（ブロック５１４）。セルは、該資源上でいかなる伝送も送信しないことによって、ヌル・パイロットを送信しても良い。一つのデザインにおいて、セルは、該資源にマッピングされるシンボルをパンクチャーしても良い。他のデザインにおいて、セルは、該資源にマッピングされたシンボルを判定しても良く、また、これらのシンボルを、これらのシンボルのために利用可能な他の資源に再マッピングしても良い。
【００７５】
セルは、該ＵＥにより観測されるクラスター外干渉を示す干渉情報を受信しても良い（ブロック５１６）。
【数２１】
0005596016.tif 000022
【００７６】
セルはまた、該セルに関する、そして、場合によってクラスター中の他のセルに関する、チャネル情報を、該ＵＥから受信しても良い（ブロック５１８）。セルのためのスケジューラは、該ＵＥ及び他のＵＥからの干渉及び／又はチャネル情報に基づいて、データ伝送について該ＵＥをスケジュールするどうか判定しても良い。
【００７７】
セルは、該ＵＥからの干渉及び／又はチャネル情報に基づいて、データ伝送を該ＵＥに送信しても良い（ブロック５２０）。セルは、ＵＥからの干渉情報に基づいて、該ＵＥにおける受信信号品質を推定しても良く、また、該推定された受信信号品質に基づいて、レートを判定しても良い。セルは、ＵＥからのチャネル情報に基づいて、プリコーディング行列を判定しても良い。セルは、そのプリコーディング行列を使って、該ＵＥに対して判定されたレートで、データ伝送を送信しても良い。クラスター中の各々の残りのセルは、例えばＵＥから離れる方向にその伝送を抜けることによって及び／又はその送信電力を低減することによって、該ＵＥに対する干渉を低減しても良い。
【００７８】
図６は、無線通信ネットワークにおいてヌル・パイロットを送信するための装置６００のデザインを示す。装置６００は、セル・クラスター中のセルによりヌル・パイロットを送信するための資源を判定するためのモジュール６１２、ＵＥがクラスター外干渉を推定できるようにするために、前記セルにより前記資源上で前記ヌル・パイロットを送信するためのモジュール６１４、ＵＥにより観測されるクラスター外干渉を示す干渉情報を受信するためのモジュール６１６、前記ＵＥから前記セルに関するチャネル情報を受信するためのモジュール６１８、及び、前記ＵＥから前記干渉及び／又はチャネル情報に基づいて、データ伝送を前記ＵＥに送信するためのモジュール６２０を含む。
【００７９】
図７は、無線ネットワークにおいてヌル・パイロットを受信するためのプロセス７００のデザインを示す。プロセス７００は、ＵＥにより（下記のように）又は何らかの他の実体により、実行されても良い。ＵＥは、セル・クラスター中の複数のセルによりヌル・パイロットを送信するために使用される資源を判定しても良い（ブロック７１２）。一つのデザインにおいて、クラスター中の各々のセルは、ヌル・パイロットを送信するために異なる資源が割り当てられても良い。他のデザインにおいて、クラスター中のすべてのセルは、ヌル・パイロットを送信するために同一の資源を使用しても良く、また、異なるクラスターは、ヌル・パイロットを送信するために異なる資源が割り当てられても良い。ＵＥは、（ｉ）セルＩＤに基づいて、各々のセルにより使用される資源を、又は、（ｉｉ）クラスターＩＤに基づいて、クラスター中のすべてのセルにより使用される資源を、判定しても良い。いずれにしても、ＵＥは、ヌル・パイロットを送信するために使用される資源上で、複数のセルからヌル・パイロットを受信しても良い（ブロック７１４）。
【００８０】
ＵＥは、複数のセルからのヌル・パイロットに基づいて、該ＵＥにより観測されるクラスター外干渉を推定しても良い（ブロック７１６）。一つのデザインにおいて、ＵＥは、クラスター中の各々のセルからのヌル・パイロットの受信電力Ｉｋを判定しても良く、また、該ＵＥにおけるトータル受信電力ＰＲＸ，ｔｏｔａｌを判定しても良い。ＵＥは、それから、例えば式（２）で示されるように、クラスター中のすべてのセルからのヌル・パイロットの受信電力及び該ＵＥにおけるトータル受信電力に基づいて、クラスター外干渉ＩＯＯＣを推定しても良い。他のデザインにおいて、ＵＥは、クラスター中の各々のセルの受信電力ＰＲＸ，ｋを判定しても良く、また、クラスター中の少なくとも一つのセルの各々からのヌル・パイロットの受信電力Ｉｋを判定しても良い。ＵＥは、それから、クラスター中の各々のセルの受信電力及びクラスター中の少なくとも一つのセルの各々からのヌル・パイロットの受信電力に基づいて、クラスター外干渉ＩＯＯＣ，ｋ及びＩＯＯＣを推定しても良い（例えば、式（６）と（７）で示すように）。さらにもう一つのデザインにおいて、ＵＥは、クラスター中のすべてのセルからのヌル・パイロットの受信電力ＰＲＸ，ｎｕｌｌを判定しても良く、また、この受信電力ＰＲＸ，ｎｕｌｌに基づいて、クラスター外干渉を推定しても良い（例えば、式（１１）で示すように）。
【００８１】
一つのデザインにおいて、ＵＥは、該ＵＥにおけるトータル受信電力ＰＲＸ，ｔｏｔａｌを判定しても良く、また、クラスター中のセルからのヌル・パイロットの受信電力Ｉｋを判定しても良い。ＵＥは、そして、該ＵＥにおけるトータル受信電力及びセルからのヌル・パイロットの受信電力に基づいて、該セルの受信電力ＰＲＸ，ｋを判定しても良い（例えば式（１０）で示されるように）。ＵＥはまた、他の測定のためにヌル・パイロットを使用しても良い。
【００８２】
ＵＥは、複数の受信アンテナを備えていても良い。一つのデザインにおいて、ＵＥは、クラスター外干渉の共分散行列Ｒｎｎを判定しても良い（例えば式（１３）で示されるように）。さらにもう一つのデザインにおいて、ＵＥは、クラスター外干渉に基づいて、空間フィルタ行列Ｍを判定しても良い（例えば式（１５）で示すように）。
【数２２】
0005596016.tif 000023
【００８３】
ＵＥは、クラスター外干渉を示す干渉情報を判定しても良い（ブロック７１８）。
【数２３】
0005596016.tif 000024
【００８４】
ＵＥはまた、クラスター中の少なくとも一つの潜在的なサービング・セルに関するチャネル情報を判定しても良い（ブロック７２０）。
【数２４】
0005596016.tif 000025
【００８５】
ＵＥは、干渉情報及びチャネル情報をクラスター中の少なくとも一つの指定されたセル（例えば、サービング・セル）に送信しても良い（ブロック７２２）。
【００８６】
ＵＥは、その後、ＵＥからの干渉及び／又はチャネル情報に基づいて、クラスター中の少なくとも一つのサービング・セルにより送信されるデータ伝送を受信しても良い（ブロック７２４）。例えば、データ伝送は、チャネル情報に基づいて判定されたプリコーディング行列を使って、ＵＥからの干渉情報に基づいて判定されたレートで、送信されても良い。協調伝送について、クラスター中の各々の残りのセルは、ＵＥに対する干渉を低減しても良い。
【００８７】
図８は、無線ネットワークにおいてヌル・パイロットを受信する装置８００のデザインを示す。装置８００は、セル・クラスター中の複数のセルによりヌル・パイロットを送信するのために使用される資源を判定するためのモジュール８１２、前記ヌル・パイロットを送信するために使用される資源で前記複数のセルから前記ヌル・パイロットを受信するためのモジュール８１４、前記複数のセルからの前記ヌル・パイロットに基づいて、ＵＥにより観測されるクラスター外干渉を推定するためのモジュール８１６、前記クラスター外干渉を示す干渉情報を判定するためのモジュール８１８、前記クラスター中の少なくとも一つの潜在的なサービング・セルに関するチャネル情報を判定するためのモジュール８２０、前記干渉情報及び前記チャネル情報を、前記クラスター中の少なくとも一つの指定されたセルに送信するためのモジュール８２２、及び、前記ＵＥからの前記干渉及び／又はチャネル情報に基づいて、前記クラスター中の少なくとも一つのサービング・セルにより送信されたデータ伝送を受信するためのモジュール８２４を含む。
【００８８】
図６及び８の中のモジュールは、プロセッサ、エレクトロニクス・デバイス、ハードウェア・デバイス、エレクトロニクス・コンポーネント、論理回路、メモリ、ソフトウェア・コード、ファームウェア・コード、その他、又はそれらの任意の組み合せを含んでも良い。
【００８９】
図９は、基地局１１０及びＵＥ１２０のデザインのブロック図を示す。それらは、図１中の基地局のうちの一つ及びＵＥのうちの一つであっても良い。基地局１１０は、１又は複数のセルをサポートしても良い。基地局１１０は、Ｔ個のアンテナ９３４ａ〜９３４ｔを備えていても良く、ＵＥ１２０は、Ｒ個のアンテナ９５２ａ〜９５２ｒを備えていても良い。ここで、一般に、Ｔ≧１かつＲ≧１である。
【００９０】
基地局１１０において、送信プロセッサ９２０は、データ・ソース９１２から１又は複数のＵＥのためのデータを受信し、該各々のＵＥについてデータを処理（例えば、符号化、インターリーブ及びシンボルマッピング）し、そして、すべてのＵＥについてデータ・シンボルを提供しても良い。プロセッサ９２０はまた、コントローラ／プロセッサ９４０からの制御情報を処理し、そして、制御シンボルを提供しても良い。送信プロセッサ９２０はまた、パイロット又は基準信号のためのパイロット・シンボルを生成しても良く、また、基地局１１０によりサポートされる各々のセルのためのヌル・パイロットのために使用される資源上で、いかなる伝送も送信しなくても良い。送信（ＴＸ）ＭＩＭＯプロセッサ９３０は、各々のＵＥのためのデータ・シンボルの上で、そのＵＥのために選択されたプリコーディング行列Ｐに基づいて、プリコーディングを実行しても良い。プロセッサ９３０は、Ｔ個の出力シンボル・ストリームを、Ｔ個の変調器（ＭＯＤ）９３２ａ〜９３２ｔに提供しても良い。各々の変調器９３２は、出力サンプル・ストリームを得るために、それぞれの出力シンボル・ストリームを処理しても良い（例えば、ＯＦＤＭ、ＣＤＭＡなどのために）。各々の変調器９３２は、ダウンリンク信号を得るために、該出力サンプル・ストリームを更に処理（例えば、アナログへの変換、増幅、フィルタリング及びアップコンバート）しても良い。変調器９３２ａ〜９３２ｔからのＴ個のダウンリンク信号は、それぞれ、Ｔ個のアンテナ９３４ａ〜９３４ｔを介して送信されても良い。
【００９１】
ＵＥ１２０において、アンテナ９５２ａ〜９５２ｒは、基地局１１０からダウンリンク信号を受信しても良く、また、それぞれ、受信信号を復調器（ＤＥＭＯＤ）９５４ａ〜９５４ｒに提供しても良い。各々の復調器９５４は、入力サンプルを得るために、それぞれの受信信号を調整（例えば、フィルタリング、増幅、ダウンコンバート及びデジタイズ）しても良い。各々の復調器９５４は、受信シンボルを得るために、入力サンプルを更に処理しても良い（例えば、ＯＦＤＭ、ＣＤＭＡなどのために）。ＭＩＭＯ検出器９５６は、すべてのＲ個の復調器９５４ａ〜５４ｒから受信シンボルを取得し、該当する場合、受信シンボルの上で、受信機空間処理を実行し（例えば、式（１６）で示すように）、そして、検出シンボルを提供しても良い。受信プロセッサ９５８は、検出シンボルを処理（例えば、復調、デインターリーブ及び復号化）し、ＵＥ１２０に関する復号化データをデータ・シンク９６０に提供し、そして、復号化された制御情報をコントローラ／プロセッサ９８０に提供しても良い。
【００９２】
アップリンクの上で、ＵＥ１２０において、送信プロセッサ９６４は、データ・ソース９６２からのデータ及びコントローラ／プロセッサ９８０からのフィードバック情報（例えば、干渉情報、チャネル情報など）を受信及び処理しても良い。プロセッサ９６４はまた、パイロット・シンボルを生成しても良い。送信プロセッサ９６４からのシンボルは、該当する場合、ＴＸ ＭＩＭＯプロセッサ９６６によりプリコードされ、変調器９５４ａ〜９５４ｒにより更に処理され、そして、基地局１１０に送信されても良い。基地局１１０において、ＵＥ１２０からのアップリンク信号は、アンテナ９３４により受信され、復調器９３２で処理され、該当する場合、ＭＩＭＯ検出器９３６により検出され、そして、ＵＥ１２０により送信される復号化されたデータ及びフィードバック情報を得るために、受信プロセッサ９３８により更に処理されても良い。
【００９３】
コントローラ／プロセッサ９４０と９８０は、それぞれ、基地局１１０及びＵＥ１２０におけるオペレーションを指示する。基地局１１０におけるプロセッサ９４０及び／又は他のプロセッサ及びモジュールは、図５におけるプロセス５００及び／又は本明細書で説明される技術のための他のプロセスを実行又は指示しても良い。ＵＥ１２０におけるプロセッサ９８０及び／又は他のプロセッサ及びモジュールは、図７におけるプロセス７００及び／又は本明細書で説明される技術のための他の方法を実行又は指示しても良い。メモリ９４２及び９８２は、それぞれ、基地局１１０及びＵＥ１２０のためのデータ及びプログラム・コードを格納しても良い。スケジューラ９４４は、ダウンリンク及び／又はアップリンクの上でのデータ伝送のためにＵＥをスケジュールしても良く、また、スケジュールされたＵＥのために資源許可（resource grants）を提供しても良い。
【００９４】
情報及び信号は、いろいろな異なるテクノロジー及びテクニックの任意のものを用いて表現可能であることを、当業者は理解できるであろう。例えば、上記説明の間に参照される、データ、インストラクション、コマンド、情報、信号、ビット、シンボル、及び、チップは、電圧、電流、電磁波、磁場若しくは磁性粒子（magnetic fields or particles）、光場若しくは光学粒子（optical fields or particles）、又はそれらの任意の組み合わせにより表現可能である。
【００９５】
本明細書での開示に関連して説明された、各種の説明する論理ブロック、モジュール、回路、及び、アルゴリズムのステップは、電子回路用ハードウェア、コンピュータソフトウェア、又は、それらの組み合わせとして、実装されても良いことを、当業者はさらに理解できるであろう。このハードウェア及びソフトウェアの互換性をめいりょうに説明するために、各種の説明するコンポーネント、ブロック、モジュール、回路、及びステップが、一般に、それらの機能性の観点で、前述された。当該の機能性は、システム全体に課される特定のアプリケーション及びデザインの制約に応じて、ハードウェア又はソフトウェアとして実装される。当業者は、説明された機能性を、各々のアプリケーションのためのさまざまな方法で実装しても良いが、当該の実装の決定は、本開示の範囲からの逸脱をもたらすものとして説明されるべきではない。
【００９６】
本明細書での開示に関連して説明された、種々の説明に役立つ、論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジック、個別のハードウェアコンポーネント、又は本明細書で説明された機能を実行するようにデザインされた任意のそれらの組み合わせで実装されても良い。汎用プロセッサは、マイクロプロセッサであっても良いが、代わりに、プロセッサは、任意の従来のプロセッサ、コントローラ、マイクロコントローラ、又はステートマシンであっても良い。プロセッサはまた、コンピュータデバイスの組み合わせ、例えば、ＤＳＰとマイクロプロセッサとの組合せ、複数のマイクロプロセッサ、ＤＳＰコアと連結する１つ又は複数のマイクロプロセッサ、又は、他のそのような構成、として実装されても良い。
【００９７】
本明細書での開示に関連して説明された方法又はアルゴリズムのステップは、直接、ハードウェアにより具体化されても良いし、プロセッサにより実行されるソフトウェアモジュールにより具体化されても良いし、又は、それら二つの組合せにより具体化されても良い。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野において周知の任意の他のフォームの記憶媒体に存在しても良い。例示的な記憶媒体は、プロセッサがその記憶媒体から情報を読み込み、また、それへ情報を書き込むことができるように、そのプロセッサに接続される。代わりに、記憶媒体は、プロセッサに一体化されていても良い。プロセッサ及び記憶媒体は、ＡＳＩＣにおいて存在してもよい。ＡＳＩＣは、ユーザ端末に存在しても良い。代案では、プロセッサ及び記憶媒体は、ユーザ端末の個別のコンポーネントとして存在しても良い。
【００９８】
一つ又は複数の例示的なデザインにおいて、説明される機能は、ハードウェア、ソフトウェア、ファームウェア、又はそれらの任意の組み合わせにより実行されても良い。ソフトウェアで実装される場合には、機能は、コンピュータ読み取り可能な媒体に、１又は複数のインストラクション又はコードとして、格納され又は伝送されても良い。コンピュータ読み取り可能な媒体は、或る場所から他の場所へのコンピュータ・プログラムの転送を容易にする任意の媒体を含むコンピュータ記憶媒体及び通信媒体の両方を含む。記憶媒体は、汎用コンピュータ又は専用コンピュータによってアクセスできる任意の利用可能な媒体であっても良い。制限ではなく、例として、上記コンピュータ読み取り可能な媒体は、ＲＡＭ、ＲＯＭ、ＥＥＰＲＯＭ、ＣＤ−ＲＯＭ、他の光ディスク記憶装置、磁気ディスク記憶装置若しくは他の磁気記憶装置、又は、インストラクション若しくはデータ構造の形で所望のプログラム・コード手段を伝えるか若しくは記憶するのに使用でき、且つ、汎用若しくは専用コンピュータ又は汎用若しくは専用プロセッサによってアクセスできる任意の他の媒体を含むことができる。また、任意のコネクション（connection）は、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線、マイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線、マイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタルバーサタイルディスク（ＤＶＤ）、フロッピー（登録商標）ディスク及びブルーレイディスク（登録商標）を含む。ここで、ディスク（disks）は、通常、磁気的にデータを複製（reproduce）し、一方、ディスク（discs）は、レーザーを使って光学的にデータをさせる。上記の組み合わせはまた、コンピュータ読み取り可能な媒体の範囲の中に含まれるべきである。
【００９９】
本開示の前の説明は、当業者が本開示を製造又は使用できるようにするために提供される。本開示への種々の変形は、当業者には容易に明白になるであろう。また、本明細書で定義された一般的な原理は、本開示の精神又は範囲から逸脱することなく、他のバリエーションに適用されても良い。それゆえ、本開示は、本明細書で示された例及びデザインに限定されることが意図されているのではなく、本明細書に開示された原理及び新規な特徴に合致する最も広い範囲を与えられることが意図されている。 
以下に、本願出願の当初の特許請求の範囲に記載された各請求項に対応する発明を付記する。 
［１］無線通信ネットワークにおいて干渉推定をサポートする方法において、 
セル・クラスター中のセルによりヌル・パイロットを送信するための資源を判定することと、 
ユーザ装置（ＵＥ）が前記クラスター中にないセルからの干渉を含むクラスター外干渉を推定できるようにするために、前記資源上で前記ヌル・パイロットを送信することを含む方法。 
［２］前記クラスター中の各々のセルは、ヌル・パイロットを送信するために異なる資源を割り当てられる［１］の方法。 
［３］前記クラスター中のすべてのセルは、ヌル・パイロットを送信するために同一の資源を使用し、 
異なるクラスターは、ヌル・パイロットを送信するために異なる資源を割り当てられる［１］の方法。 
［４］前記ヌル・パイロットを送信するための前記資源を前記判定することは、前記セル又は前記クラスターの識別情報（ＩＤ）の関数に基づいて、前記ヌル・パイロットを送信するための前記資源を判定することを含む［１］の方法。 
［５］前記ヌル・パイロットを前記送信することは、前記資源にマッピングされるシンボルをパンクチャーすることによって、前記ヌル・パイロットを送信するための前記資源上でいかなる伝送も送信しないことを含む［１］の方法。 
［６］前記ヌル・パイロットを前記送信することは、前記資源にマッピングされるシンボルを判定し、該シンボルを他の資源に再マッピングすることによって、前記ヌル・パイロットを送信するための前記資源上でいかなる伝送も送信しないことを含む［１］の方法。 
［７］ＵＥにより観測されるクラスター外干渉を示す干渉情報を受信することと、 
前記干渉情報に基づいて、データ伝送を前記ＵＥに送信することを更に含む［１］の方法。 
［８］前記ＵＥからの前記干渉情報に基づいて、前記ＵＥにおける受信信号品質を推定することと、 
前記推定された受信信号品質に基づいて、レートを判定することを更に含み、 
前記データ伝送は、前記判定されたレートで前記ＵＥに送信される［７］の方法。 
［９］前記ＵＥから前記セルに関するチャネル情報を受信することと、 
前記チャネル情報に基づいて、プリコーディング行列を判定すること、 
前記プリコーディング行列を使って前記データ伝送を前記ＵＥに送信することを更に含み、 
前記クラスター中の各々の残りのセルは、前記ＵＥへの干渉を低減する［１］の方法。 
［１０］ＵＥにより観測されるクラスター外干渉を示す干渉情報を受信することと、 
前記ＵＥから前記クラスター中の少なくとも一つのセルに関するチャネル情報を受信することと、 
前記干渉情報及び前記チャネル情報に基づいて、データ伝送のために前記ＵＥをスケジュールするべきかどうか判定することを更に含む［１］の方法。 
［１１］無線通信のための装置において、 
セル・クラスター中のセルによりヌル・パイロットを送信するための資源を判定するための手段と、 
ユーザ装置（ＵＥ）が前記クラスター中にないセルからの干渉を含むクラスター外干渉を推定できるようにするために、前記資源上で前記ヌル・パイロットを送信するための手段とを含む装置。 
［１２］前記クラスター中の各々のセルは、ヌル・パイロットを送信するために異なる資源を割り当てられる［１１］の装置。 
［１３］前記クラスター中のすべてのセルは、ヌル・パイロットを送信するために同一の資源を使用し、異なるクラスターは、ヌル・パイロットを送信するために異なる資源を割り当てられる［１１］の装置。 
［１４］ＵＥにより観測されるクラスター外干渉を示す干渉情報を受信するための手段と、 
前記干渉情報に基づいて、データ伝送を前記ＵＥに送信するための手段とを更に含む［１１］の装置。 
［１５］前記ＵＥからの前記セルに関するチャネル情報を受信するための手段と、 
前記チャネル情報に基づいて、プリコーディング行列を判定するための手段と、 
前記プリコーディング行列を使って前記データ伝送を前記ＵＥに送信するための手段とを更に含み、 
前記クラスター中の各々の残りのセルは、前記ＵＥへの干渉を低減する［１１］の装置。 
［１６］無線通信ネットワークにおける干渉を推定する方法において、 
セル・クラスター中の複数のセルからヌル・パイロットを受信することと、 
前記複数のセルからの前記ヌル・パイロットに基づいて、ユーザ装置（ＵＥ）により観測されるクラスター外干渉（該クラスター外干渉は該クラスター中にないセルからの干渉を含む）を推定することを含む方法。 
［１７］前記クラスター中の前記複数のセルにより前記ヌル・パイロットを送信するために使用される資源を判定することを更に含み、 
前記クラスター中の各々のセルは、ヌル・パイロットを送信するために異なる資源を割り当てられる［１６］の方法。 
［１８］前記クラスター中の前記複数のセルにより前記ヌル・パイロットを送信するために使用される資源を判定することを更に含み、 
前記クラスター中のすべてのセルは、ヌル・パイロットを送信するために同一の資源を使用し、異なるクラスターは、ヌル・パイロットを送信するために異なる資源を割り当てられる［１６］の方法。 
［１９］前記クラスター外干渉を前記推定することは、 
前記クラスター中の各々のセルからのヌル・パイロットの受信電力を判定することと、 
前記ＵＥにおけるトータル受信電力を判定することと、 
前記クラスター中のすべてのセルからの前記ヌル・パイロットの受信電力及び前記ＵＥにおける前記トータル受信電力に基づいて、前記クラスター外干渉を推定することを含む［１７］の方法。 
［２０］前記クラスター外干渉を前記推定することは、前記クラスター中の前記複数のセルからの前記ヌル・パイロットの前記受信電力の最小値又は平均値に基づいて、前記クラスター外干渉を制限することを更に含む［１９］の方法。 
［２１］前記クラスター外干渉を前記推定することは、 
前記クラスター中の各々のセルの受信電力を判定することと、 
前記クラスター中の少なくとも一つのセルの各々からのヌル・パイロットの受信電力を判定することと、 
前記クラスター中の各々のセルの前記受信電力及び前記クラスター中の少なくとも一つのセルの各々からの前記ヌル・パイロットの前記受信電力に基づいて、前記クラスター外干渉を推定することを含む［１７］の方法。 
［２２］前記クラスター外干渉を前記推定することは、 
前記クラスター中のすべてのセルからの前記ヌル・パイロットの受信電力を判定することと、 
前記クラスター中のすべてのセルからの前記ヌル・パイロットの前記受信電力に基づいて、前記クラスター外干渉を推定することを含む［１８］の方法。 
［２３］前記ＵＥにおけるトータル受信電力を判定することと、 
前記クラスター中のセルからのヌル・パイロットの受信電力を判定することと、 
前記ＵＥにおける前記トータル受信電力及び前記セルからの前記ヌル・パイロットの前記受信電力に基づいて、前記セルの受信電力を判定することを更に含む［１７］の方法。 
［２４］前記ＵＥは、複数の受信アンテナを備え、 
前記クラスター外干渉を前記推定することは、前記クラスター外干渉の共分散行列を判定することを含む［１６］の方法。 
［２５］前記クラスター外干渉に基づいて、空間フィルタ行列を判定することと、 
ポスト処理されたクラスター外干渉を得るために、前記空間フィルタ行列を前記クラスター外干渉に適用することを更に含む［１６］の方法。 
［２６］前記クラスター外干渉を示す干渉情報を判定することと、 
前記干渉情報を、前記クラスター中の少なくとも一つの指定されたセルに送信することを更に含む［１６］の方法。 
［２７］前記干渉情報は、前記ＵＥにおけるクラスター外干渉電力、前記クラスター外干渉の共分散行列、前記ＵＥにおける受信機空間処理の前に受信されたクラスター外干渉、及び前記ＵＥにおける受信機空間処理の後にポスト処理されたクラスター外干渉のうちの少なくとも一つを含む［２６］の方法。 
［２８］前記クラスター中の少なくとも一つの潜在的なサービング・セルに関するチャネル情報を判定することと、 
前記チャネル情報を、前記クラスター中の少なくとも一つの指定されたセルに送信することを更に含む［１６］の方法。 
［２９］各々の潜在的なサービング・セルに関する前記チャネル情報は、前記セルのためのチャネル行列又は前記ＵＥにおける受信機空間処理を伴う前記セルのための複合チャネル行列を含む［２８］の方法。 
［３０］前記クラスター中の少なくとも一つのセルからデータ伝送を受信することを更に含み、 前記クラスター中の各々の残りのセルは、前記ＵＥへの干渉を低減する［１６］の方法。 
［３１］無線通信のための装置において、 
セル・クラスター中の複数のセルからヌル・パイロットを受信するための手段と、 
前記複数のセルからの前記ヌル・パイロットに基づいて、ユーザ装置（ＵＥ）により観測されるクラスター外干渉（該クラスター外干渉は該クラスター中にないセルからの干渉を含む）を推定するための手段とを含む装置。 
［３２］前記クラスター中の前記複数のセルにより前記ヌル・パイロットを送信するために使用される資源を判定するための手段を更に含み、 
各々のセル又は各々のセル・クラスターは、ヌル・パイロットを送信するために異なる資源を割り当てられる［３１］の装置。 
［３３］前記クラスター外干渉を推定するための前記手段は、 
前記クラスター中の少なくとも一つのセルの各々からのヌル・パイロットの受信電力を判定することと、 
前記クラスター中の少なくとも一つのセルの各々からの前記ヌル・パイロットの前記受信電力に基づいて、前記クラスター外干渉を推定することを含む［３１］の装置。 
［３４］前記クラスター外干渉を前記推定するための手段は、 
前記クラスター中のすべてのセルからの前記ヌル・パイロットの受信電力を判定するための手段と、 
前記クラスター中のすべてのセルからの前記ヌル・パイロットの前記受信電力に基づいて、前記クラスター外干渉を推定するための手段とを含む［３１］の装置。 
［３５］前記クラスター外干渉を示す干渉情報を判定するための手段と、 
前記クラスター中の少なくとも一つの潜在的なサービング・セルに関するチャネル情報を判定するための手段と、 
前記干渉情報及び前記チャネル情報を、前記クラスター中の少なくとも一つの指定されたセルに送信するための手段と、 
前記干渉情報及び前記チャネル情報に基づいて、前記クラスター中の少なくとも一つのサービング・セルにより送信されるデータ伝送を受信するための手段とを含み、 
前記クラスター中の各々の残りのセルは、前記ＵＥへの干渉を低減する［３１］の装置。 
［３６］無線通信のための装置において、 
セル・クラスター中の複数のセルからヌル・パイロットを受信し、そして、前記複数のセルからの前記ヌル・パイロットに基づいて、ユーザ装置（ＵＥ）により観測されるクラスター外干渉（該クラスター外干渉は該クラスター中にないセルからの干渉を含む）を推定するように構成された少なくとも一つのプロセッサを含む装置。 
［３７］前記少なくとも一つのプロセッサは、前記クラスター中の前記複数のセルにより前記ヌル・パイロットを送信するために使用される資源を判定するように構成され、 
各々のセル又は各々のセル・クラスターは、ヌル・パイロットを送信するために異なる資源を割り当てられる［３６］の装置。 
［３８］前記少なくとも一つのプロセッサは、前記クラスター中の少なくとも一つのセルの各々からのヌル・パイロットの受信電力を判定し、そして、前記クラスター中の少なくとも一つのセルの各々からの前記ヌル・パイロットの前記受信電力に基づいて、前記クラスター外干渉を推定するように構成された［３６］の装置。 
［３９］前記少なくとも一つのプロセッサは、前記クラスター中のすべてのセルからの前記ヌル・パイロットの受信電力を判定し、そして、前記クラスター中のすべてのセルからの前記ヌル・パイロットの前記受信電力に基づいて、前記クラスター外干渉を推定するように構成された［３６］の装置。 
［４０］前記少なくとも一つのプロセッサは、前記クラスター外干渉を示す干渉情報を判定し、前記クラスター中の少なくとも一つの潜在的なサービング・セルに関するチャネル情報を判定し、前記干渉情報及び前記チャネル情報を、前記クラスター中の少なくとも一つの指定されたセルに送信し、そして、前記干渉情報及び前記チャネル情報に基づいて、前記クラスター中の少なくとも一つのサービング・セルにより送信されるデータ伝送を受信するように構成され、 
前記クラスター中の各々の残りのセルは、前記ＵＥへの干渉を低減する［３６］の装置。 
［４１］コンピュータープログラム製品において、 
少なくとも一つのコンピュータに、セル・クラスター中の複数のセルからヌル・パイロットを受信させるためのコードと、 
前記少なくとも一つのコンピュータに、前記複数のセルからの前記ヌル・パイロットに基づいて、ユーザ装置（ＵＥ）により観測されるクラスター外干渉（該クラスター外干渉は該クラスター中にないセルからの干渉を含む）を推定させるためのコードとを含むコンピュータ読み取り可能な媒体を含むコンピュータープログラム製品。 
［４２］無線通信ネットワークにおいて干渉推定をサポートする方法において、 
セルのためのヌル・パイロットのために確保されている資源を判定することと、 
前記セルがＵＥからの干渉を推定できるようにするために、ユーザ装置（ＵＥ）により確保されている資源上でヌル・パイロットを送信することを含む方法。 
［４３］前記セルから干渉インジケータを受信することを更に含み、 
前記ヌル・パイロットは、前記セルが前記干渉インジケータを引き受けていないＵＥからの制御されていない干渉を推定できるようにするために、前記干渉インジケータを引き受けている前記ＵＥにより送信される［４２］の方法。 
［４４］前記セルから干渉インジケータを受信することを更に含み、 
前記ヌル・パイロットは、前記セルが前記干渉インジケータを引き受けているＵＥからの制御された干渉を推定できるようにするために、前記干渉インジケータを引き受けていない前記ＵＥにより送信される［４２］の方法。 
［４５］前記確保されている資源は、特定の電力クラスのセルのためのヌル・パイロットのためであり、 
前記ヌル・パイロットは、前記セルが他の電力クラスのセルによりサービスされるＵＥに起因する干渉を推定できるようにするために、前記特定の電力クラスの前記セルによりサービスされる前記ＵＥにより送信される［４２］の方法。 
［４６］無線通信ネットワークにおいて干渉を推定する方法において、 
セルのためのヌル・パイロットのために確保されている資源を判定することと、 
前記セルにおける第１のユーザ装置（ＵＥ）からヌル・パイロットを受信することと、 
前記第１のＵＥからの前記ヌル・パイロットに基づいて、前記セルにより観測される第２のＵＥからの干渉を推定することを含む方法。 
［４７］前記セルから干渉インジケータを送信することを更に含み、 
ヌル・パイロットは、前記セルが前記干渉インジケータを引き受けていない前記第２のＵＥからの制御されていない干渉を推定できるようにするために、前記干渉インジケータを引き受けている前記第１のＵＥにより送信される［４６］の方法。 
［４８］前記セルから干渉インジケータを送信することを更に含み、 
ヌル・パイロットは、前記セルが前記干渉インジケータを引き受けている前記第２のＵＥからの制御された干渉を推定できるようにするために、前記干渉インジケータを引き受けていない前記第１のＵＥにより送信される［４６］の方法。 
［４９］前記確保されている資源は、特定の電力クラスのセルのためのヌル・パイロットのためであり、 
前記ヌル・パイロットは、前記セルが他の電力クラスのセルによりサービスされる前記第２のＵＥに起因する干渉を推定できるようにするために、前記特定の電力クラスの前記セルによりサービスされる前記第１のＵＥにより送信される［４６］の方法。
【図１】
0005596016.tif 000026
【図２】
0005596016.tif 000027
【図３】
0005596016.tif 000028
【図４】
0005596016.tif 000029
【図５】
0005596016.tif 000030
【図６】
0005596016.tif 000031
【図７】
0005596016.tif 000032
【図８】
0005596016.tif 000033
【図９】
0005596016.tif 000034